(57)【要約】【課題】診断部位に関する情報を正確に把握することが容易であり診断効率を向上できる。【解決手段】被検体ＳＵの食道に挿入された体腔プローブ部１１が放射線を検出し得た放射線検出データに基づいて、放射線の強度を示す放射線画像ＩＲ０，ＩＲ１，ＩＲ２を生成する。そして、食道を含む撮影領域についてスキャンを実施し得た磁気共鳴信号に基づいて、食道を含むスライス面のスライス画像ＩＡ０，ＩＡ１，ＩＡ２を生成する。そして、生成された放射線画像ＩＲ０，ＩＲ１，ＩＲ２とスライス画像ＩＡ０，ＩＡ１，ＩＡ２とを合成し、合成画像ＩＣ０，ＩＣ１，ＩＣ２を生成する。ここでは、被検体ＳＵにおいて体腔プローブ部１１が放射線を検出した位置に対応するように、放射線画像ＩＲ０，ＩＲ１，ＩＲ２とスライス画像ＩＡ０，ＩＡ１，ＩＡ２とを位置合わせして合成する。【選択図】図５
2007130305.tif 000002
【特許請求の範囲】
【請求項１】
被検体の体腔に挿入された体腔プローブ部が前記被検体の体腔において放射線を検出することによって得た放射線検出データに基づいて、前記被検体の体腔において前記体腔プローブ部が検出した前記放射線の強度を示す放射線画像を生成する放射線画像生成部と、
前記被検体において前記体腔を含む撮影領域についてスキャンを実施することにより得られるローデータに基づいて、前記被検体において前記体腔を含むスライス面についてのスライス画像を生成するスライス画像生成部と
を有する画像診断装置であって、
前記放射線画像生成部によって生成された前記放射線画像と、前記スライス画像生成部によって生成された前記スライス画像とを合成することによって、合成画像を生成する画像合成部
を含み、
前記画像合成部は、
前記被検体において、前記体腔プローブ部が前記放射線を検出し、前記放射線画像生成部が前記放射線画像を生成した位置に対応するように、前記放射線画像を前記スライス画像に位置合わせして合成することによって、前記合成画像を生成する
画像診断装置。
【請求項２】
前記放射線画像生成部は、前記体腔プローブ部によって検出された前記放射線の強度に応じて色濃度が異なるように、前記放射線画像を生成する
請求項１に記載の画像診断装置。
【請求項３】
前記放射線画像生成部は、前記体腔プローブ部によって検出された前記放射線の強度が大きくなるに伴って色濃度が濃くなるように、前記放射線画像を生成する
請求項２に記載の画像診断装置。
【請求項４】
前記放射線画像生成部は、前記被検体において前記体腔プローブ部が前記放射線を検出する検出範囲に対応するように、前記放射線画像を生成する
請求項１から３のいずれかに記載の画像診断装置。
【請求項５】
前記スキャンを実施するスキャン部
を含み、
前記スキャン部は、
前記被検体の撮影領域から磁気共鳴信号を得るスキャンを実施し、前記磁気共鳴信号を前記ローデータとして得る
請求項１から４のいずれかに記載の画像診断装置。
【請求項６】
挿入部材が体腔に挿入された前記被検体において、前記挿入部材が挿入された位置を検出する位置検出部
を含み、
前記スキャン部は、前記被検体において前記位置検出部によって検出された前記挿入部材の位置に対応する前記被検体の撮影領域について、前記スキャンを実施し、
前記放射線画像生成部は、前記位置検出部によって検出された前記挿入部材の位置に対応する前記被検体の撮影領域について、前記放射線画像を生成し、
前記スライス画像生成部は、前記位置検出部によって検出された前記挿入部材の位置に対応する前記被検体の撮影領域について、前記スライス画像を生成する
請求項５に記載の画像診断装置。
【請求項７】
前記スライス画像生成部は、前記スキャン部が実施する前記スキャンに対してリアルタイムになるように、前記スライス画像を生成し、
前記画像合成部は、前記スキャン部が実施する前記スキャンに対してリアルタイムになるように、前記合成画像を生成する
請求項６に記載の画像診断装置。
【請求項８】
前記放射線画像生成部は、前記スキャン部が実施する前記スキャンに対してリアルタイムになるように、前記放射線画像を生成する
請求項６または７に記載の画像診断装置。
【請求項９】
前記放射線画像生成部は、前記挿入部材が前記被検体の体腔に挿入される挿入方向に沿った面に対応するように、前記放射線画像を生成し、
前記スライス画像生成部は、前記挿入部材が前記被検体の体腔に挿入される挿入方向に沿った面に対応するように、前記スライス画像を生成する
請求項６から８のいずれかに記載の画像診断装置。
【請求項１０】
前記放射線画像生成部は、前記挿入部材が前記被検体の体腔に挿入される挿入方向に沿った面であって、前記挿入部材が前記被検体の体腔に挿入される挿入方向を垂線とする面において前記挿入部材の中心に対応する面について、前記放射線画像を生成し、
前記スライス画像生成部は、前記挿入部材が前記被検体の体腔に挿入される挿入方向に沿った面であって、前記挿入部材が前記被検体の体腔に挿入される挿入方向を垂線とする面において前記挿入部材の中心に対応する面について、前記スライス画像を生成する
請求項９に記載の画像診断装置。
【請求項１１】
前記放射線画像生成部は、前記挿入部材が前記被検体の体腔に挿入される挿入方向に沿った面であって、前記挿入部材が前記被検体の体腔に挿入される挿入方向を垂線とする面において前記挿入部材の中心と異なった位置に対応する面について、前記放射線画像を生成し、
前記スライス画像生成部は、前記挿入部材が前記被検体の体腔に挿入される挿入方向に沿った面であって、前記挿入部材が前記被検体の体腔に挿入される挿入方向を垂線とする面において前記挿入部材の中心と異なった位置に対応する面について、前記スライス画像を生成する
請求項９または１０に記載の画像診断装置。
【請求項１２】
前記放射線画像生成部は、前記挿入部材が前記被検体の体腔に挿入される挿入方向を垂線とする面に対応するように、前記放射線画像を生成し、
前記スライス画像生成部は、前記挿入部材が前記被検体の体腔に挿入される挿入方向を垂線とする面に対応するように、前記スライス画像を生成する
請求項６から１１のいずれかに記載の画像診断装置。
【請求項１３】
前記挿入部材には、前記スキャン部により実施される前記スキャンによって前記磁気共鳴信号を発生するＭＲマーカーが設けられており、
前記スキャン部は、前記被検体の撮影領域からの前記磁気共鳴信号を得るスキャンの実施前に、前記ＭＲマーカーからの前記磁気共鳴信号を得るスキャンを実施し、
前記位置検出部は、前記スキャンによって得られた前記ＭＲマーカーからの磁気共鳴信号に基づいて、前記挿入部材が移動した位置を検出する
請求項６から１２のいずれかに記載の画像診断装置。
【請求項１４】
前記ＭＲマーカーは、プロトンを含む
請求項１３に記載の画像診断装置。
【請求項１５】
前記ＭＲマーカーは、前記挿入部材において前記被検体へ挿入される先端側に位置するように設けられている
請求項１３または１４に記載の画像診断装置。
【請求項１６】
前記画像合成部によって生成された前記合成画像を、表示画面に表示する表示部
を有する
請求項１から１５のいずれかに記載の画像診断装置。
【発明の詳細な説明】
【技術分野】
【０００１】
本発明は、画像診断装置に関し、特に、被検体の体腔に挿入された体腔プローブ部が、その被検体の体腔において放射線を検出することによって得た放射線検出データに基づいて、その体腔プローブ部が検出した放射線の強度を示す放射線画像を生成すると共に、その被検体において体腔を含む撮影領域についてスキャンを実施し得られたローデータに基づいて、その被検体において体腔を含むスライス面についてのスライス画像を生成する画像診断装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置，ＲＩ（ＲＩ：Ｒａｄｉｏ  Ｉｓｏｔｏｐｅ）プローブ装置などの画像診断装置は、被検体の内部の情報を得る装置として、医療分野などのさまざまな分野において利用されている。
【０００３】
これらの画像診断装置は、より効率的であって高い診断能力を得るために、それぞれの特徴を生かすように組み合わされて使用される場合がある（たとえば、特許文献１，特許文献２，特許文献３参照）。
【０００４】
【特許文献１】特開２００２−１６５７７５号公報
【特許文献２】特開２００３−９８２５９号公報
【特許文献３】特開２００４−２４５８２号公報
【発明の開示】
【発明が解決しようとする課題】
【０００５】
たとえば、被検体のスライス面についてのイメージングを実施するＭＲＩ装置と、放射線を検出する体腔プローブ部を被検体内の体腔に挿入してイメージングを実施するＲＩプローブ装置との両者を用いて、画像診断を行う場合がある。
【０００６】
たとえば、まず、ＲＩプローブ装置において、被検体内の体腔に体腔プローブ部を挿入してイメージングを実施する。
【０００７】
ここでは、放射線同位元素を被検体に注入した後に、その被検体の食道などの体腔に体腔プローブ部を挿入し、たとえば、被検体中の癌細胞に集まった放射線同位元素から発生する放射線を体腔プローブ部が検出し放射線検出データを取得する。そして、その放射線検出データに基づいてイメージングをし、画像診断を実施する。ここでは、たとえば、被検体中の癌細胞の位置を検出する。
【０００８】
つぎに、ＭＲＩ装置を用いてイメージングを実施する。
【０００９】
ここでは、ＲＩプローブ装置での画像診断結果に基づいて、ＭＲＩ装置にてイメージングを実施する被検体の撮影領域に位置合わせをする。たとえば、ＭＲＩ装置にて検知されるＭＲマーカーを被検体に設け、そのＭＲマーカーを特徴点として、位置合わせを実施する。その後、その被検体の撮影領域からＭＲ信号をＭＲＩ装置が受信し、そのＭＲ信号に基づいて画像診断を実施する。
【００１０】
しかしながら、ここでは、ＭＲＩ装置によってイメージングされた画像と、ＲＩプローブ装置によってイメージングされた画像とのそれぞれを別々に表示させて画像診断するために、診断部位に関する情報を正確に把握することが困難な場合があり、診断効率が低下する場合があった。
【００１１】
したがって、本発明の目的は、診断効率を向上可能な画像診断装置を提供することにある。
【課題を解決するための手段】
【００１２】
上記目的を達成するため、本発明の画像診断装置は、被検体の体腔に挿入された体腔プローブ部が前記被検体の体腔において放射線を検出することによって得た放射線検出データに基づいて、前記被検体の体腔において前記体腔プローブ部が検出した前記放射線の強度を示す放射線画像を生成する放射線画像生成部と、前記被検体において前記体腔を含む撮影領域についてスキャンを実施することにより得られるローデータに基づいて、前記被検体において前記体腔を含むスライス面についてのスライス画像を生成するスライス画像生成部とを有する画像診断装置であって、前記放射線画像生成部によって生成された前記放射線画像と、前記スライス画像生成部によって生成された前記スライス画像とを合成することによって、合成画像を生成する画像合成部を含み、前記画像合成部は、前記被検体において、前記体腔プローブ部が前記放射線を検出し、前記放射線画像生成部が前記放射線画像を生成した位置に対応するように、前記放射線画像を前記スライス画像に位置合わせして合成することによって、前記合成画像を生成する。
【発明の効果】
【００１３】
本発明によれば、撮影効率を向上させることが可能な画像診断装置を提供することができる。
【発明を実施するための最良の形態】
【００１４】
以下より、本発明にかかる実施形態の一例について図面を参照して説明する。
【００１５】
＜実施形態１＞
図１は、本発明にかかる実施形態において、画像診断装置１を示す図である。
【００１６】
図１に示すように、本実施形態の画像診断装置１は、ＲＩプローブ装置１０と、磁気共鳴イメージング装置２００とを有する。
【００１７】
（ＲＩプローブ装置）
ＲＩプローブ装置１０について説明する。
【００１８】
図２は、本実施形態において、ＲＩプローブ装置１０の構成を示す構成図である。
【００１９】
図２に示すように、本実施形態のＲＩプローブ装置１０は、体腔プローブ部１１と、回転移動部２１と、計装部３１と、制御部４１と、表示部５１と、操作部６１と、ダミープローブ部７１とを有する。各部について、順次、説明する。
【００２０】
体腔プローブ部１１は、図２に示すように、検出部１１１と、挿入部１１２とを有し、放射線同位元素が注入された被検体に体腔に挿入され、その被検体の内部の体腔において放射線を検出する。たとえば、体腔プローブ部１１は、被検体の体腔として食道に挿入される。
【００２１】
体腔プローブ部１１の検出部１１１は、図２に示すように、挿入部１１２において被検体へ挿入される先端側に位置するように設けられている。
【００２２】
図３は、本実施形態において、体腔プローブ部１１の検出部１１１についての断面図である。
【００２３】
図３に示すように、検出部１１１は、被検体の内部においてガンマ線とベータ線とを受けて発光する第１シンチレータ１１１ａと、その第１シンチレータ１１１ａを支持すると共に、第１シンチレータ１１１ａを透過したガンマ線を受け発光する第２シンチレータ１１１ｂとを含む。第１シンチレータ１１１ａと第２シンチレータ１１１ｂは、たとえば、ヨウ化セシウムなどからなる。第１シンチレータ１１１ａは、円筒状に形成されており、円柱状の第２シンチレータ１１１ｂの周囲を覆うように、配置されている。
【００２４】
一方、体腔プローブ部１１の挿入部１１２は、柔軟で可撓性を有すると共に遮光性の管状体であり、被検体の体腔に挿入される。また、挿入部１１２には、内部に光ファイバ（図示なし）が貫通している。この光ファイバは、検出部１１１の第１シンチレータ１１１ａと第２シンチレータ１１１ｂとのそれぞれに接続されており、この第１シンチレータ１１１ａと第２シンチレータ１１１ｂとのそれぞれからの光を、計装部３１へ伝送する。
【００２５】
回転移動部２１は、複数のモータ（図示なし）を含み、モーターが体腔プローブ部１１の検出部１１１を被検体の体腔内において挿入方向を軸にして定速で回転させると共に、挿入方向に沿って定速で移動させる。
【００２６】
計装部３１は、光電変換装置（図示なし）を含み、この光電変換装置が、第１シンチレータ１１１ａと第２シンチレータ１１１ｂとのそれぞれにおいて発生する光を、挿入部１１２の光ファイバを介して受けて電気信号に変換する。また、計装部３１は、カウンター回路を含み、光電変換装置によって変換された電気信号に基づいて、この検出した放射線の強度を示すカウント値をカウンター回路が出力する。具体的には、ガンマ線とベータ線とによって発光する第１シンチレータ１１１ａから得られた信号と、ガンマ線によって発光する第２シンチレータ１１１ｂから得られた信号とを差分し、その差分値をベータ線についてのカウント値として求める。そして、計装部３１は、回転移動部２１によって移動された体腔プローブ部１１の検出部１１１の位置情報を受け、上述のように求めたカウント値のデータに関連付けて、制御部４１へ出力する。
【００２７】
制御部４１は、オペレータにより操作部６１に入力された操作指令に基づいて各部を制御する。また、制御部４１は、計装部３１から放射線のカウント値のデータを受け、その放射線のカウント値と、検出部１１１の位置との関係を示すプロファイル画像を生成する。
【００２８】
表示部５１は、たとえば、ＣＲＴを含み、制御部４１からの指令に基づき、表示面に画像を表示する。本実施形態において、表示装置５１は、たとえば、制御部４１によって生成されたプロファイル画像を表示する。
【００２９】
操作部６１は、たとえば、キーボードやポインティングデバイスなどを含み、オペレータによる入力操作に基づいて、操作命令などの指令を制御部４１に入力する。
【００３０】
ダミープローブ部７１は、体腔プローブ部１１を内部に収容する。そして、ダミープローブ部７１は、体腔プローブ部１１を収容した状態で、オペレータによって被検体の内部に挿入される。また、ダミープローブ部７１は、その挿入された被検体の内部において磁気共鳴信号を発生するＭＲマーカーが設けられている。
【００３１】
図４は、本実施形態において、ダミープローブ部７１を示す側面図である。
【００３２】
図４に示すように、ダミープローブ部７１は、プローブ収容部１７１と、ＭＲマーカー収容部１７２とを有する。
【００３３】
プローブ収容部１７１は、図４に示すように、円筒の管状体であって、磁気共鳴信号を発生しないように、たとえば、軟質ＰＶＣ（Ｐｏｌｙｖｉｎｙｌ  ｃｈｌｏｒｉｄｅ，ポリ塩化ビニル）を用いて形成されており、柔軟で可撓性を有する。そして、プローブ収容部１７１は、被検体の内部にてプローブ部で放射線を検出しイメージングを実施する際においては、その管状体の内部空間に、体腔プローブ部１１を収容し、体腔プローブ部１１を収容した状態でオペレータによって被検体の内部に挿入される。その後、ＭＲＩ装置にてイメージングを実施する際においては、プローブ収容部１７１は、被検体の内部に挿入された状態で、管状体の内部空間に収容した体腔プローブ部１１が取り出される。
【００３４】
ＭＲマーカー収容部１７２は、図４に示すように、ダミープローブ部７１において被検体へ挿入される先端側に位置するように、プローブ収容部１７１の一端部に嵌め込まれ、固定される。ＭＲマーカー収容部１７２は、たとえば、非磁性体であるアクリル系樹脂を用いて、被検体へ挿入される先端側が球形状になるように形成されていると共に、ＭＲマーカーを収容する収容空間が凹形状に形成されている。そして、ＭＲマーカー収容部１７２は、この収容空間にプロトンを含むＭＲマーカーを収容する。たとえば、ＭＲマーカー収容部１７２は、水をＭＲマーカーとして収容する。なお、接着テープなどによってＭＲマーカー収容部１７２の開口部分が覆われ、そのＭＲマーカー収容部１７２に収容されたＭＲマーカーは、その収容空間に密封される。
【００３５】
（磁気共鳴イメージング装置）
磁気共鳴イメージング装置２００について説明する。
【００３６】
図５は、磁気共鳴イメージング装置２００の構成を示す構成図である。
【００３７】
図５に示すように、磁気共鳴イメージング装置２００は、スキャン部２０２と、操作コンソール部２０３とを有する。
【００３８】
スキャン部２０２について説明する。
【００３９】
スキャン部２０２は、図５に示すように、静磁場マグネット部２１２と、勾配コイル部２１３と、ＲＦコイル部２１４と、ＲＦ駆動部２２２と、勾配駆動部２２３と、データ収集部２２４と、クレードル２２６とを有しており、静磁場が形成された撮影空間Ｂ内において被検体ＳＵの撮影領域からの磁気共鳴信号を得るスキャンを実施する。
【００４０】
ここでは、図５に示すように、上述したＲＩプローブ装置１０のダミープローブ部７１が被検体ＳＵの食道に挿入された被検体ＳＵを、静磁場が形成された撮影空間Ｂ内にスキャン部２０２が収容する。そして、スキャン部２０２は、その撮影空間Ｂ内において、ダミープローブ部７１が挿入された被検体ＳＵの撮影領域からの磁気共鳴信号を、ローデータとして得るスキャンを実施する。ここでは、スキャン部２０２は、後述する操作コンソール部２０３のプローブ位置検出部２３５によって検出されたダミープローブ部７１の位置に対応する被検体ＳＵの撮影領域について、スキャンを実施する。たとえば、スキャン部２０２は、ダミープローブ部７１に対応する位置が中心であって、このダミープローブ部７１が移動する移動方向を垂線とする面に対応する断層面を撮影領域とし、スライディング・ウィンドウ（Ｓｌｉｄｉｎｇ  Ｗｉｎｄｏｗ）を用いた高速イメージシーケンスでスキャンを実施する。
【００４１】
また、その他に、スキャン部２０２は、この被検体ＳＵの撮影領域からの磁気共鳴信号を得るスキャンの実施前に、ダミープローブ部７１のＭＲマーカー収容部１７２に収容されたＭＲマーカーからの磁気共鳴信号を得るスキャンを実施する。たとえば、スキャン部２０２は、被検体ＳＵにおいてダミープローブ部７１が移動する移動方向に沿った断層面をスキャンする。
【００４２】
スキャン部２０２の各構成要素について、順次、説明する。
【００４３】
静磁場マグネット部２１２は、たとえば、被検体ＳＵが収容される撮像空間Ｂを挟むように設けられた一対の永久磁石を含み、一対の永久磁石が撮像空間Ｂに静磁場を形成する。ここでは、静磁場マグネット部２１２は、被検体ＳＵの体軸方向に対して垂直な方向Ｚに静磁場の方向が沿うように静磁場を形成する。なお、静磁場マグネット部２１２は、超伝導磁石により構成されていてもよい。
【００４４】
勾配コイル部２１３は、静磁場が形成された撮像空間Ｂに勾配磁場を形成し、ＲＦコイル部２１４が受信する磁気共鳴信号に位置情報を付加する。ここでは、勾配コイル部２１３は、３系統からなり、撮像条件に応じて、周波数エンコード方向と位相エンコード方向とスライス選択方向とのそれぞれに勾配磁場を形成する。具体的には、勾配コイル部２１３は、被検体ＳＵのスライス選択方向に勾配磁場を印加し、ＲＦコイル部２１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部２１３は、被検体ＳＵの周波数エンコード方向に勾配磁場を印加し、ＲＦパルスにより励起されたスライスからの磁気共鳴信号を周波数エンコードする。
【００４５】
ＲＦコイル部２１４は、図５に示すように、被検体ＳＵの撮影領域を囲むように配置される。ＲＦコイル部２１４は、静磁場マグネット部２１２によって静磁場が形成される撮像空間Ｂ内において、電磁波であるＲＦパルスを被検体ＳＵに送信して高周波磁場を形成し、被検体ＳＵの撮影領域におけるプロトンのスピンを励起する。そして、ＲＦコイル部２１４は、その励起された被検体ＳＵ内のプロトンから発生する電磁波を磁気共鳴信号として受信する。
【００４６】
ＲＦ駆動部２２２は、制御部２３０からの制御信号に基づいて、ＲＦコイル部２１４を駆動させ、撮像空間Ｂ内にＲＦパルスを送信させて高周波磁場を形成させる。ＲＦ駆動部２２２は、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部２１４に出力し、ＲＦパルスを送信させる。
【００４７】
勾配駆動部２２３は、制御部２３０からの制御信号に基づいて、勾配パルスを勾配コイル部２１３に印加して駆動させ、静磁場が形成されている撮像空間Ｂ内に勾配磁場を発生させる。勾配駆動部２２３は、３系統の勾配コイル部２１３に対応して３系統の駆動回路（図示なし）を有する。
【００４８】
データ収集部２２４は、制御部２３０からの制御信号に基づいて、ＲＦコイル部２１４が受信する磁気共鳴信号を収集し、画像生成部２３１に出力する。データ収集部２２４は、位相エンコードと周波数エンコードとが施された磁気共鳴信号をｋ空間に対応するように収集する。ここでは、データ収集部２２４は、ＲＦコイル部２１４が受信する磁気共鳴信号をＲＦ駆動部２２２のＲＦ発振器の出力を参照信号として位相検波器が位相検波する。その後、Ａ／Ｄ変換器を用いて、このアナログ信号である磁気共鳴信号をデジタル信号に変換する。そして、データ収集部２２４は、この磁気共鳴信号をメモリに記憶した後に、画像生成部２３１に出力する。
【００４９】
クレードル２２６は、被検体ＳＵを載置する台を有する。クレードル２２６は、制御部２３０からの制御信号に基づいて、撮像空間Ｂの内部と外部との間を移動する。
【００５０】
操作コンソール部２０３について説明する。
【００５１】
操作コンソール部２０３は、図５に示すように、制御部２３０と、画像生成部２３１と、操作部２３２と、表示部２３３と、記憶部２３４と、プローブ位置検出部２３５とを有する。
【００５２】
操作コンソール部２０３の各構成要素について、順次、説明する。
【００５３】
制御部２３０は、コンピュータと、コンピュータを用いて所定のスキャンに対応する動作を各部に実行させるプログラムとを有しており、操作部２３２からの操作データが入力される。そして、制御部２３０は、操作部２３２から入力される操作データに基づいて、ＲＦ駆動部２２２と勾配駆動部２２３とデータ収集部２２４とのそれぞれに、所定のスキャンを実行させる制御信号を出力し制御を行う。そして、制御部２３０は、操作部２３２から入力される操作データに基づいて、画像生成部２３１と表示部２３３と記憶部２３４とへ制御信号を出力し制御を行う。
【００５４】
本実施形態においては、制御部２３０は、ダミープローブ部７１が挿入された被検体ＳＵの撮影領域からの磁気共鳴信号をローデータとして得るスキャンを、スキャン部２０２に実施させる。ここでは、制御部２３０は、プローブ位置検出部２３５によって検出されたダミープローブ部７１の位置に対応する被検体ＳＵの撮影領域についてのスキャンを実施させる。また、制御部２３０は、この被検体ＳＵの撮影領域からの磁気共鳴信号を得るスキャンの実施前に、ダミープローブ部７１のＭＲマーカー収容部１７２に収容されたＭＲマーカーからの磁気共鳴信号を得るスキャンを、スキャン部２０２に実施させる。
【００５５】
画像生成部２３１は、コンピュータと、そのコンピュータを用いて所定のデータ処理を実行するプログラムとを有しており、制御部２３０からの制御信号に基づいて、画像を生成する。なお、この画像生成部２３１の詳細については、後述する。
【００５６】
操作部２３２は、キーボードやポインティングデバイスなどの操作デバイスにより構成されている。操作部２３２は、オペレータによって操作データが入力され、その操作データを制御部２３０に出力する。
【００５７】
表示部２３３は、ＣＲＴなどの表示デバイスにより構成されており、制御部２３０からの制御信号に基づいて、表示画面に画像を表示する。たとえば、表示部２３３は、オペレータによって操作部２３２に操作データが入力される入力項目についての画像を表示画面に表示する。具体的には、表示部２３３は、エコー数，エコー時間，繰り返し時間，バンド幅などのスキャンタイミングパラメータを入力するダイヤログボックスや、スキャンの開始の指示を入力するボタンなどを表示する。その他に、表示部２３３は、画像生成部２３１によって生成された画像を、表示画面に表示する。本実施形態においては、表示部２３３は、画像生成部２３１によって生成された画像についてのデータを受け、その画像をスキャンの実施に対してリアルタイムになるように、順次表示する。たとえば、後述する画像生成部２３１の画像合成部２３１３によって生成された合成画像を、表示画面に表示する。
【００５８】
記憶部２３４は、メモリにより構成されており、各種データを記憶している。記憶装置３３は、その記憶されたデータが必要に応じて制御部２３０によってアクセスされる。
【００５９】
プローブ位置検出部２３５は、コンピュータと、そのコンピュータを用いて所定のデータ処理を実行するプログラムとを有しており、被検体ＳＵにおいてダミープローブ部７１が移動した位置を検出する。本実施形態においては、プローブ位置検出部２３５は、ダミープローブ部７１に設けられたＭＲマーカーをスキャンすることによって得られたＭＲマーカーからの磁気共鳴信号に基づいて、ＭＲマーカーの位置を求め、ダミープローブ部７１が移動した位置を検出する。
【００６０】
前述した画像生成部２３１の詳細について説明する。
【００６１】
図６は、本実施形態において、画像生成部２３１を示すブロック図である。
【００６２】
図６に示すように、本実施形態において、画像生成部２３１は、放射線画像生成部２３１１と、スライス画像生成部２３１２と、画像合成部２３１３とを有する。
【００６３】
放射線画像生成部２３１１は、前述のＲＩプローブ装置１０において、被検体ＳＵの体腔に挿入された体腔プローブ部１１が、その被検体ＳＵの体腔において放射線を検出することによって得た放射線検出データに基づいて、その被検体ＳＵの体腔において体腔プローブ部１１が検出した放射線の強度を示す放射線画像を生成する。つまり、放射線画像生成部２３１１は、前述の体腔プローブ部１１が放射線を検出することによって得た放射線検出データをＲＩプローブ装置１０から受けて、放射線画像を生成する。
【００６４】
ここでは、放射線画像生成部２３１１は、被検体ＳＵにおいてＲＩプローブ装置１０の体腔プローブ部１１が放射線を検出する検出範囲に対応すると共に、その体腔プローブ部１１によって検出された放射線の強度に応じて色濃度が異なるように、この放射線画像を生成する。具体的には、放射線画像生成部２３１１は、体腔プローブ部１１によって検出された放射線の強度が大きくなるに伴って色濃度が濃くなるように、放射線画像を生成する。
【００６５】
スライス画像生成部２３１２は、データ収集部２２４により収集された磁気共鳴信号をローデータとして取得し、その取得したローデータである磁気共鳴信号に対して画像再構成処理を行って、被検体ＳＵの断層面についてのスライス画像を生成する。本実施形態においては、スライス画像生成部２３１２は、被検体ＳＵにおいて前述のように体腔プローブ部１１が挿入された体腔を含む撮影領域について、スキャン部２がスキャンを実施することにより得られるローデータに基づいて、その被検体ＳＵにおいて、その体腔を含むスライス面についてのスライス画像を生成する。
【００６６】
ここでは、スライス画像生成部２３１３は、プローブ位置検出部２３５によって検出されたダミープローブ部７１の位置に対応する被検体ＳＵの撮影領域についてのスライス画像を、スキャン部２が実施するスキャンに対してリアルタイムになるように生成する。具体的には、スライス画像生成部２３１２は、ダミープローブ部７１が被検体ＳＵの体腔に挿入される挿入方向を垂線とする面に対応するように、このスライス画像を、順次、生成する。たとえば、スライス画像生成部２３１２は、ダミープローブ部７１が被検体ＳＵの体腔として食道挿入される場合においては、食道に挿入される挿入方向を垂線とするアキシャル面に対応するように、このスライス画像を生成する。
【００６７】
画像合成部２３１３は、放射線画像生成部２３１１によって生成された放射線画像と、スライス画像生成部２３１２によって生成されたスライス画像とを合成することによって、合成画像を生成する。ここでは、画像合成部２３１３は、被検体ＳＵにおいて、前述のＲＩプローブ装置１０の体腔プローブ部１１が放射線を検出し、放射線画像生成部２３１１が放射線画像を生成した位置に対応するように、この放射線画像をスライス画像に位置合わせして合成することによって、合成画像を生成する。そして、画像合成部２３１３は、その生成した合成画像を、表示部２３３に順次、出力する。
【００６８】
（動作）
以下より、上記の本発明にかかる実施形態の画像診断装置１の動作について説明する。
【００６９】
図７は、本実施形態において、画像診断装置１の動作を示すフロー図である。
【００７０】
図７に示すように、まず、被検体ＳＵについての放射線検出データを得る（Ｓ１）。
【００７１】
ここでは、ＲＩプローブ装置１０を用いて、被検体ＳＵについての放射線検出データを得る。
【００７２】
図８は、本実施形態において、ＲＩプローブ装置１０を用いて放射線検出データを得る際の動作を示すフロー図である。
【００７３】
図８に示すように、放射線検出データを得る場合においては、まず、体腔プローブ部１１を被検体ＳＵの内部に挿入する（Ｓ１１）。
【００７４】
ここでは、オペレータが体腔プローブ部１１を被検体ＳＵの内部に挿入する。
【００７５】
図９は、本実施形態において、体腔プローブ部１１を被検体ＳＵの内部に挿入する様子を示す側面図である。
【００７６】
本実施形態においては、オペレータがダミープローブ部７１に体腔プローブ部１１を収容すると共に、放射線同位元素を被検体ＳＵに注入した後に、図９に示すように、体腔プローブ部１１が収容された状態のダミープローブ部７１を被検体ＳＵの食道へ挿入し、ダミープローブ部７１に収容された体腔プローブ部１１の検出部１１１を、開始位置Ｘ０まで移動させる。
【００７７】
つぎに、図８に示すように、被検体ＳＵの内部において放射線を検出し放射線検出データを得る（Ｓ２１）。
【００７８】
ここでは、ダミープローブ部７１が挿入された被検体ＳＵの内部において、ダミープローブ部７１に収容された体腔プローブ部１１に放射線を検出させる。そして、その体腔プローブ部１１が検出した放射線に基づいて、放射線検出データとして、放射線のカウント値Ｃを得る。
【００７９】
図１０は、被検体ＳＵの内部において放射線を検出する様子を示す側面図である。また、図１１は、放射線のカウント値Ｃと、検出部１１１の位置Ｘとの関係を示す図である。
【００８０】
本実施形態においては、図１０に示すように、食道に挿入された体腔プローブ部１１を回転移動部２１がダミープローブ部７１から引き出し、体腔プローブ部１１の検出器１１１の位置を開始位置Ｘ０から変化させ、各位置において検出部１１１に放射線を検出させる。たとえば、被検体ＳＵ中において放射線同位元素が集まった癌細胞の位置Ｘ１において、その癌細胞から発生する放射線を検出部１１１が検出する。そして、その検出部１１１が検出した放射線に基づいて、放射線のカウント値Ｃを制御部４１が求める。そして、そのカウント値Ｃと、検出部１１１の位置Ｘとの関係を示すプロファイル画像を、図１１に示すように、制御部４１が生成し表示部５１が表示する。このプロファイル画像においては、図６に示すように、たとえば、被検体ＳＵ中の癌細胞に対応する位置Ｘ１が高いカウント値Ｃとなる。
【００８１】
つぎに、図８に示すように、体腔プローブ部１１をダミープローブ部７１から取り除く（Ｓ３１）。
【００８２】
ここでは、ダミープローブ部７１に収容されている体腔プローブ部１１をオペレータが引き抜いて、ダミープローブ部７１から体腔プローブ部１１を取り除く。
【００８３】
このようにして、被検体ＳＵについての放射線検出データを得る（Ｓ１）動作を完了する。
【００８４】
つぎに、図７に示すように、被検体ＳＵについての磁気共鳴信号を得る（Ｓ２）。
【００８５】
ここでは、磁気共鳴イメージング装置２００を用いて、被検体ＳＵについての磁気共鳴信号を得る。
【００８６】
図１２は、本実施形態において、磁気共鳴イメージング装置２００を用いて、被検体ＳＵについての磁気共鳴信号を得る際の動作を示すフロー図である。
【００８７】
まず、図１２に示すように、被検体ＳＵにおいてダミープローブ部７１の位置を検出する（Ｓ１２１）。
【００８８】
ここでは、被検体ＳＵの食道においてオペレータがダミープローブ部７１を挿入した位置を、プローブ位置検出部２３５が検出する。本実施形態においては、ダミープローブ部７１のＭＲマーカー収容部１７２に収容されたＭＲマーカーからの磁気共鳴信号を得るスキャンをスキャン部２が実施し、そのスキャンによって得られたＭＲマーカーからの磁気共鳴信号に基づいて、プローブ位置検出部２３５がＭＲマーカーの位置を求め、ダミープローブ部７１の位置を検出する。
【００８９】
図１３は、ダミープローブ部７１のＭＲマーカー収容部１７２に収容されたＭＲマーカーから発生する磁気共鳴信号を、ＭＲＩ装置を用いて受信する様子を示す側面図である。図１３において、図１３（ａ）は、ＭＲマーカーから発生する磁気共鳴信号の受信を開始する際の様子を示す側面図であり、図１３（ｂ）は、その受信を終了する際の様子を示す側面図である。
【００９０】
本実施形態においては、図１３に示すように、被検体ＳＵにおいて、ダミープローブ部７１を含み、そのダミープローブ部７１が移動する移動方向ｘに沿った断層面であるサジタル面を、スキャン部２０２がスキャンし、そのサジタル面についてのスライス画像を、画像生成部２３１のスライス画像生成部２３１２が生成する。そして、そのスライス画像生成部２３１２によって生成されたスライス画像に対して特徴抽出処理などを実施することによって、そのスライス画像においてＭＲマーカーに対応する位置をプローブ位置検出部２３５が算出し、その算出結果からダミープローブ部７１が移動した位置を求める。なお、ここでは、図１３（ａ）に示すように、被検体ＳＵにおいて、ダミープローブ部７１が挿入された開始位置Ｘ０にて磁気共鳴信号を受信するスキャンを開始する。そして、図１３（ｂ）に示すように、食道に挿入されたダミープローブ部７１を、その開始位置Ｘ０から癌細胞に対応する位置Ｘ１を介して終了位置Ｘ２まで引き出し、ダミープローブ部７１のＭＲマーカーの位置を順次変化させる。
【００９１】
つぎに、図１２に示すように、被検体ＳＵの撮影領域からの磁気共鳴信号を得るスキャンを実施する（Ｓ１３１）。
【００９２】
ここでは、プローブ位置検出部２３５によって検出されたダミープローブ部７１の位置に対応する被検体ＳＵの撮影領域について、スキャン部２０２がスキャンを実施し、磁気共鳴信号を得る。
【００９３】
本実施形態においては、前述の図１３（ｂ）に示すように、開始位置Ｘ０から終了位置Ｘ２までにおいて、ＭＲマーカーが移動した各位置に対応する撮影領域についての磁気共鳴信号を受信するように、スキャン部２０２がスキャンを実施する。具体的には、図１３（ｂ）に示すように、ダミープローブ部７１に対応する位置が中心であって、このダミープローブ部７１が移動する移動方向ｘを垂線とする断層面を撮影領域として、スキャン部２がスキャンを実施する。つまり、本実施形態においては、ダミープローブ部７１が食道に挿入される挿入方向を垂線とするアキシャル面である断層面を、撮影領域とするスキャンを順次実施する。たとえば、スピンエコー法によって、このスキャンを実施する。
【００９４】
つぎに、図７に示すように、放射線画像と、スライス画像とを生成した後に、その放射線画像とスライス画像とを合成して、合成画像を生成する（Ｓ３）。
【００９５】
ここでは、被検体ＳＵの食道において体腔プローブ部１１が検出した放射線の強度を示す放射線画像を放射線画像生成部２３１１が生成する。本実施形態においては、前述のＲＩプローブ装置１０において被検体ＳＵの食道に挿入された体腔プローブ部１１が、その被検体ＳＵの食道において放射線を検出することによって得た放射線検出データに基づいて、その放射線画像を放射線画像生成部２３１１が生成する。
【００９６】
そして、被検体ＳＵの断層面についてのスライス画像をスライス画像生成部２３１２が生成する。本実施形態においては、データ収集部２２４により収集された磁気共鳴信号を、スライス画像生成部２３１２がローデータとして取得し、その取得したローデータである磁気共鳴信号に対して画像再構成処理を行って、被検体ＳＵの断層面についてのスライス画像を生成する。
【００９７】
その後、放射線画像生成部２３１１によって生成された放射線画像と、スライス画像生成部２３１２によって生成されたスライス画像とを、画像合成部２３１３が合成し、フュージョンイメージ（ｆｕｓｉｏｎ  ｉｍａｇｅ）としての合成画像を生成する。
【００９８】
図１４は、本実施形態において、被検体ＳＵにおいて合成画像が生成される領域を示す側面図である。また、図１５は、本実施形態において、画像合成部２３１３が合成する合成画像を示す図である。図１５において、図１５（ａ）は、図１４において、ダミープローブ部７１の移動が終了される側の位置ｘ２に対応するスライス面について生成された合成画像である。また、図１５（ｂ）は、図１４においてダミープローブ部７１の移動が開始される位置と終了される位置との間の中間位置であって、被検体ＳＵにおいて放射線同位元素が集まった癌細胞の位置ｘ１に対応するスライス面について生成された合成画像である。また、図１５（ｃ）は、図１４において、ダミープローブ部７１の移動が開始される側の位置ｘ０に対応するスライス面について生成された合成画像である。
【００９９】
本実施形態においては、図１４と図１５とに示すように、被検体ＳＵにおいてダミープローブ部７１が挿入された食道を含む撮影領域について、スキャン部２０２がスキャンを実施することにより得られる磁気共鳴信号に基づいて、その被検体ＳＵにおいて、その食道を含むアキシャル面ＰＡ０，ＰＡ１，ＰＡ２についてのスライス画像を、スライス画像生成部２３１２が順次生成する。ここでは、スライス画像生成部２３１３は、プローブ位置検出部２３５によって検出されたダミープローブ部７１の位置に対応する被検体ＳＵの撮影領域についてのスライス画像を、スキャン部２が実施するスキャンに対してリアルタイムになるように生成する。
【０１００】
たとえば、図１４に示すように、ダミープローブ部７１の移動が開始される側の位置ｘ０に対応するアキシャル面ＰＡ０については、図１５（ｃ）に示すように、スライス画像ＩＡ０を生成する。また、図１４に示すように、ダミープローブ部７１の移動が開始される位置と終了される位置との間の中間位置である位置ｘ１に対応するアキシャル面ＰＡ１については、図１５（ｂ）に示すように、スライス画像ＩＡ１を生成する。また、図１４に示すように、ダミープローブ部７１の移動が終了される側の位置ｘ２に対応するアキシャル面ＰＡ２については、図１５（ａ）に示すように、スライス画像ＩＡ２を生成する。
【０１０１】
そして、図１４と図１５とに示すように、被検体ＳＵにおいて体腔プローブ部１１が放射線を検出する検出範囲に対応すると共に、その体腔プローブ部１１によって検出された放射線の強度に応じて色濃度が異なるように、この放射線画像を放射線画像生成部２３１１が生成する。
【０１０２】
具体的には、体腔プローブ部１１によって検出された放射線の強度が大きくなるに伴って色濃度が濃くなるように、放射線画像生成部２３１１が放射線画像を生成する。ここでは、スライス画像生成部２３１２がスライス画像を生成するスライス面であるアキシャル面ＰＡ０，ＰＡ１，ＰＡ２に対応するように、放射線画像を生成する。
【０１０３】
たとえば、図１４に示すように、ダミープローブ部７１の移動が開始される側の位置ｘ０に対応するアキシャル面ＰＡ０については、図１５（ｃ）に示すように、放射線画像ＩＲ０を生成する。また、図１４に示すように、ダミープローブ部７１の移動が開始される位置と終了される位置との間の中間位置である位置ｘ１に対応するアキシャル面ＰＡ１については、図１５（ｂ）に示すように、放射線画像ＩＲ１を生成する。また、図１４に示すように、ダミープローブ部７１の移動が終了される側の位置ｘ２に対応するアキシャル面ＰＡ２については、図１５（ａ）に示すように、放射線画像ＩＲ２を生成する。
【０１０４】
ここでは、図１４においてダミープローブ部７１の移動が開始される位置と終了される位置との間の中間位置は、被検体ＳＵにおいて放射線同位元素が集まった癌細胞の位置ｘ１に対応するために、ダミープローブ部７１の移動が開始される側の位置ｘ０や、ダミープローブ部７１の移動が終了される側の位置ｘ２に比べて、体腔プローブ部１１によって検出された放射線の強度が大きい。このため、図１５（ｂ）に示すように、被検体ＳＵにおいて放射線同位元素が集まった癌細胞の位置ｘ１に対応する放射線画像ＩＲ１については、ダミープローブ部７１の移動が開始される側の位置ｘ０の放射線画像ＩＲ０や、ダミープローブ部７１の移動が終了される側の位置ｘ２の放射線画像ＩＲ２よりも、色濃度が濃くなるように生成する。
【０１０５】
その後、図１４と図１５とに示すように、放射線画像生成部２３１１によって生成された各放射線画像ＩＲ０，ＩＲ１，ＩＲ２と、スライス画像生成部２３１２によって生成された各スライス画像ＩＡ０，ＩＡ１，ＩＡ２とのそれぞれを画像合成部２３１３が合成することによって、合成画像ＩＣ０，ＩＣ１，ＩＣ２のそれぞれを生成する。ここでは、被検体ＳＵにおいて、前述のＲＩプローブ装置１０の体腔プローブ部１１が放射線を検出し、放射線画像生成部２３１１が各放射線画像ＩＲ０，ＩＲ１，ＩＲ２を生成した位置に対応するように、画像合成部２３１３が各放射線画像ＩＲ０，ＩＲ１，ＩＲ２と各スライス画像ＩＡ０，ＩＡ１，ＩＡ２とを互いに位置合わせして合成し、各合成画像ＩＣ０，ＩＣ１，ＩＣ２を順次生成する。具体的には、各放射線画像ＩＲ０，ＩＲ１，ＩＲ２を各スライス画像ＩＡ０，ＩＡ１，ＩＡ２の上に重ねるようにして、合成画像ＩＣ０，ＩＣ１，ＩＣ２のそれぞれを生成する。
【０１０６】
つぎに、図７に示すように、合成画像を表示する（Ｓ４）。
【０１０７】
ここでは、図１５に示すように、画像合成部２３１３によって生成された各合成画像ＩＣ０，ＩＣ１，ＩＣ２についてのデータを、表示部２３３が、順次、受け、その各合成画像ＩＣ０，ＩＣ１，ＩＣ２をスキャンの実施に対してリアルタイムになるように、順次、表示画面に表示する。
【０１０８】
以上のように、本実施形態においては、被検体ＳＵの体腔である食道に挿入された体腔プローブ部１１が、その被検体ＳＵの食道において放射線を検出することによって得た放射線検出データに基づいて、その放射線の強度を示す放射線画像ＩＲ０，ＩＲ１，ＩＲ２を放射線画像生成部２３１１が生成する。そして、被検体ＳＵにおいて食道を含む撮影領域についてスキャン部２０２がスキャンを実施することによって得られる磁気共鳴信号をローデータとし、その被検体ＳＵにおいて食道を含むスライス面についてのスライス画像ＩＡ０，ＩＡ１，ＩＡ２をスライス画像生成部２３１２が生成する。スライス画像生成部２３１２は、スキャン部２が実施するスキャンに対してリアルタイムになるように、スライス画像ＩＡ０，ＩＡ１，ＩＡ２を生成する。ここでは、スライス画像生成部２３１２は、体腔プローブ部１１が被検体ＳＵの食道に挿入された挿入方向を垂線とするアキシャル面に対応するように、スライス画像ＩＡ０，ＩＡ１，ＩＡ２を生成する。そして、この生成された放射線画像ＩＲ０，ＩＲ１，ＩＲ２とスライス画像ＩＡ０，ＩＡ１，ＩＡ２とを合成することによって、画像合成部２３１３が合成画像ＩＣ０，ＩＣ１，ＩＣ２を生成する。画像合成部２３１３は、スキャン部２が実施するスキャンに対してリアルタイムになるように、合成画像ＩＣ０，ＩＣ１，ＩＣ２を生成する。ここでは、画像合成部２３１３は、被検体ＳＵにおいて、体腔プローブ部１１が放射線を検出し、放射線画像生成部２３１１が放射線画像ＩＲ０，ＩＲ１，ＩＲ２を生成した位置に対応するように、その放射線画像ＩＲ０，ＩＲ１，ＩＲ２をスライス画像ＩＡ０，ＩＡ１，ＩＡ２に位置合わせして合成することによって、この合成画像ＩＣ０，ＩＣ１，ＩＣ２を生成する。
【０１０９】
このため、本実施形態は、放射線画像ＩＲ０，ＩＲ１，ＩＲ２とスライス画像ＩＡ０，ＩＡ１，ＩＡ２との合成画像ＩＣ０，ＩＣ１，ＩＣ２を生成し、その合成画像ＩＣ０，ＩＣ１，ＩＣ２を用いて画像診断することが可能であるために、診断部位に関する情報を正確に把握することが容易であって、診断効率を向上させることができる。
【０１１０】
また、本実施形態においては、被検体ＳＵにおいて体腔プローブ部１１が放射線を検出する検出範囲に対応すると共に、体腔プローブ部１１によって検出された放射線の強度に応じて色濃度が異なるように、放射線画像生成部２３１１が放射線画像ＩＲ０，ＩＲ１，ＩＲ２を生成する。具体的には、放射線画像生成部２３１１は、体腔プローブ部１１によって検出された放射線の強度であるカウント値Ｃが大きくなるに伴って色濃度が濃くなるように、この放射線画像ＩＲ０，ＩＲ１，ＩＲ２を生成する。
【０１１１】
このため、本実施形態は、合成画像ＩＣ０，ＩＣ１，ＩＣ２を用いて画像診断する際において、放射線の強度が高い診断部位に関する情報を正確に把握することが容易であって、診断効率を向上させることができる。
【０１１２】
＜実施形態２＞
以下より、本発明にかかる実施形態２について説明する。
【０１１３】
本実施形態は、画像診断装置１において、磁気共鳴イメージング装置２００の動作が、実施形態１と異なる。このため、重複する個所については、説明を省略する。
【０１１４】
本実施形態の画像診断装置１の動作について説明する。
【０１１５】
本実施形態においては、実施形態１と同様に、図７に示すように、まず、被検体ＳＵについての放射線検出データを得る（Ｓ１）。その後、図７に示すように、被検体ＳＵについての磁気共鳴信号を得る（Ｓ２）。
【０１１６】
そして、つぎに、図７に示すように、放射線画像と、スライス画像とを生成した後に、その放射線画像とスライス画像とを合成して、合成画像を生成する（Ｓ３）。
【０１１７】
図１６は、本実施形態において、被検体ＳＵのアキシャル面において合成画像が生成される領域を示す図である。また、図１７は、本実施形態において、画像合成部２３１３が合成する合成画像を示す図である。図１７において、図１７（ａ）は、図１６に示した被検体ＳＵのアキシャル面において、被検体ＳＵの食道に挿入されたダミープローブ部７１の中心に対応する面であって、そのダミープローブ部７１が被検体ＳＵの食道に挿入される挿入方向に沿ったサジタル面ＰＳ０について生成された合成画像である。また、図１７（ｂ）は、図１６に示した被検体ＳＵのアキシャル面において、被検体ＳＵの食道に挿入されたダミープローブ部７１の中心と異なった位置に対応する面であって、そのダミープローブ部７１が被検体ＳＵの食道に挿入される挿入方向に沿ったサジタル面ＰＳ１について生成された合成画像である。
【０１１８】
本実施形態においては、図１６と図１７とに示すように、被検体ＳＵにおいてダミープローブ部７１が挿入された食道を含む撮影領域について、スキャン部２０２がスキャンを実施することにより得られる磁気共鳴信号に基づいて、その被検体ＳＵにおいて、その食道を含むサジタル面ＰＳ０，ＰＳ１についてのスライス画像を、スライス画像生成部２３１２が生成する。
【０１１９】
ここでは、スライス画像生成部２３１３は、プローブ位置検出部２３５によって検出されたダミープローブ部７１の位置に対応する被検体ＳＵの撮影領域についてのスライス画像を、スキャン部２が実施するスキャンに対してリアルタイムになるように生成する。たとえば、図１６と図１７（ａ）とに示すように、被検体ＳＵのアキシャル面において、被検体ＳＵの食道に挿入されたダミープローブ部７１の中心の位置ｙ０に対応する面であって、そのダミープローブ部７１が被検体ＳＵの食道に挿入される挿入方向に沿ったサジタル面ＰＳ０について、スライス画像ＩＳ０を生成する。また、図１６と図１７（ｂ）とに示すように、被検体ＳＵのアキシャル面において、被検体ＳＵの食道に挿入されたダミープローブ部７１の中心と異なった位置ｙ１に対応する面であって、そのダミープローブ部７１が被検体ＳＵの食道に挿入される挿入方向に沿ったサジタル面ＰＳ１について、スライス画像ＩＳ１を生成する。
【０１２０】
そして、図１６と図１７とに示すように、スライス画像生成部２３１２がスライス画像を生成するスライス面であるサジタル面ＰＳ０，ＰＳ１に対応するように、放射線画像生成部２３１１が放射線画像を生成する。ここでは、前述の実施形態１と同様に、図１７に示すようにダミープローブ部７１の移動が開始される位置ｘ０と終了される位置ｘ２との間の中間位置ｘ１は、被検体ＳＵにおいて放射線同位元素が集まった癌細胞の位置に対応するために、ダミープローブ部７１の移動が開始される側の位置ｘ０や、ダミープローブ部７１の移動が終了される側の位置ｘ２に比べて、体腔プローブ部１１によって検出された放射線の強度が大きい。このため、図１７（ａ）と図１７（ｂ）とに示すように、被検体ＳＵにおいて放射線同位元素が集まった癌細胞の位置ｘ１が、ダミープローブ部７１の移動が開始される側の位置ｘ０や、ダミープローブ部７１の移動が終了される側の位置ｘ２よりも、色濃度が濃くなるように放射線画像ＩＲ０，ＩＲ１を生成する。
【０１２１】
その後、図１６と図１７とに示すように、実施形態１と同様にして、放射線画像生成部２３１１によって生成された各放射線画像ＩＲ０，ＩＲ１と、スライス画像生成部２３１２によって生成された各スライス画像ＩＳ０，ＩＳ１とのそれぞれを画像合成部２３１３が合成することによって、合成画像ＩＣ０，ＩＣ１のそれぞれを生成する。
【０１２２】
つぎに、図７に示すように、合成画像を表示する（Ｓ４）。
【０１２３】
ここでは、画像合成部２３１３によって生成された各合成画像ＩＣ０，ＩＣ１についてのデータを表示部２３３が受けて表示画面に表示する。
【０１２４】
図１８は、本実施形態において、表示部２３３によって表示される合成画像ＩＣ０を示す図である。図１８において、図１８（ａ）は、ダミープローブ部７１の移動が開始された際に表示される合成画像ＩＣ０を示す。一方で、図１８（ｂ）は、ダミープローブ部７１の移動が終了される際に表示される合成画像ＩＣ０を示す。
【０１２５】
図１８に示すように、本実施形態においては、スキャンの実施に対してリアルタイムになるように、合成画像ＩＣ０を、順次、表示する。
【０１２６】
以上のように、本実施形態においては、実施形態１と同様に、放射線画像ＩＲ０，ＩＲ１とスライス画像ＩＳ０，ＩＳ１との合成画像ＩＣ０，ＩＣ１を生成し、その合成画像ＩＣ０，ＩＣ１を用いて画像診断することができる。
【０１２７】
このため、診断部位に関する情報を正確に把握することが容易であって、診断効率を向上させることができる。
【０１２８】
＜実施形態３＞
以下より、本発明にかかる実施形態３について説明する。
【０１２９】
本実施形態は、画像診断装置１において、体腔プローブ部１１の構造が、実施形態１と異なる。このため、重複する個所については、説明を省略する。
【０１３０】
図１９は、本実施形態において、体腔プローブ部１１の検出部１１１についての断面図である。
【０１３１】
図１９に示すように、検出部１１１は、第１シンチレータ１１１ａ＿１と、第２シンチレータ１１１ａ＿２と、第３シンチレータ１１１ａ＿３と、第４シンチレータ１１１ａ＿４と、第５シンチレータ１１１ｂと、第１コリメータ１１１ｃ＿１と、第２コリメータ１１１ｃ＿２と、第３コリメータ１１１ｃ＿３と、第４コリメータ１１１ｃ＿４とを含み、複数のチャネルを有する。
【０１３２】
第１シンチレータ１１１ａ＿１と、第２シンチレータ１１１ａ＿２と、第３シンチレータ１１１ａ＿３と、第４シンチレータ１１１ａ＿４とのそれぞれは、被検体ＳＵの内部において放射線を受けて発光する。具体的には、第１から第４のシンチレータ１１１ａ＿１，１１１ａ＿２，１１１ａ＿３，１１１ａ＿４は、被検体の内部においてガンマ線とベータ線とを受けて発光する。第１から第４のシンチレータ１１１ａ＿１，１１１ａ＿２，１１１ａ＿３，１１１ａ＿４は、たとえば、ヨウ化セシウムなどからなり、円柱状の第５シンチレータ１１１ｂの周囲を覆うように、順次配列され、全体として円筒状になるように形成されている。
【０１３３】
第５シンチレータ１１１ｂは、第１から第４のシンチレータ１１１ａ＿１，１１１ａ＿２，１１１ａ＿３，１１１ａ＿４を支持すると共に、その第１から第４のシンチレータ１１１ａ＿１，１１１ａ＿２，１１１ａ＿３，１１１ａ＿４を透過したガンマ線を受け発光する。第５シンチレータ１１１ｂは、たとえば、ヨウ化セシウムなどからなる。また、第５シンチレータ１１１ｂは、円柱形状に形成されており、その円柱形状における円周の周囲を覆うように、第１から第４のシンチレータ１１１ａ＿１，１１１ａ＿２，１１１ａ＿３，１１１ａ＿４が、配置されている。
【０１３４】
第１コリメータ１１１ｃ＿１と、第２コリメータ１１１ｃ＿２と、第３コリメータ１１１ｃ＿３と、第４コリメータ１１１ｃ＿４とのそれぞれは、第１から第４のシンチレータ１１１ａ＿１，１１１ａ＿２，１１１ａ＿３，１１１ａ＿４のそれぞれの間に配置されており、光を遮光する。たとえば、第１コリメータ１１１ｃ＿１は、第１シンチレータ１１１ａ＿１と第２シンチレータ１１１ａ＿２との間に設けられており、第１シンチレータ１１１ａ＿１と第２シンチレータ１１１ａ＿２との間において光を遮光する。また、第２コリメータ１１１ｃ＿２は、第２シンチレータ１１１ａ＿２と第３シンチレータ１１１ａ＿３との間に設けられており、第２シンチレータ１１１ａ＿２と第３シンチレータ１１１ａ＿３との間において光を遮光する。また、第３コリメータ１１１ｃ＿３は、第３シンチレータ１１１ａ＿３と第４シンチレータ１１１ａ＿４との間に設けられており、第３シンチレータ１１１ａ＿２と第４シンチレータ１１１ａ＿４との間において光を遮光する。また、第４コリメータ１１１ｃ＿４は、第４シンチレータ１１１ａ＿４と第１シンチレータ１１１ａ＿１との間に設けられており、第４シンチレータ１１１ａ＿４と第１シンチレータ１１１ａ＿１との間において光を遮光する。
【０１３５】
そして、本実施形態における体腔プローブ１１にて計装部３１は、ガンマ線とベータ線とによって発光する第１から第４のシンチレータ１１１ａ＿１，１１１ａ＿２，１１１ａ＿３，１１１ａ＿４から得られた信号と、ガンマ線によって発光する第５シンチレータ１１１ｂから得られた信号とを差分し、その差分値をベータ線についてのカウント値として求める。
【０１３６】
図２０は、本実施形態において、画像合成部２３１３が合成する合成画像を示す図である。図２０において、図２０（ａ）は、図１４において、ダミープローブ部７１の移動が終了される側の位置ｘ２に対応するスライス面について生成された合成画像である。また、図２０（ｂ）は、図１４においてダミープローブ部７１の移動が開始される位置と終了される位置との間の中間位置であって、被検体ＳＵにおいて放射線同位元素が集まった癌細胞の位置ｘ１に対応するスライス面について生成された合成画像である。また、図２０（ｃ）は、図１４において、ダミープローブ部７１の移動が開始される側の位置ｘ０に対応するスライス面について生成された合成画像である。
【０１３７】
本実施形態においては、図１４に示すように、ダミープローブ部７１の移動が開始される側の位置ｘ０に対応するスライス面については、図２０（ｃ）に示すように、アキシャル面のスライス画像ＩＡ０を生成する。また、図１４に示すように、ダミープローブ部７１の移動が開始される位置と終了される位置との間の中間位置である位置ｘ１に対応するスライス面については、図２０（ｂ）に示すように、アキシャル面のスライス画像ＩＡ１を生成する。また、図１４に示すように、ダミープローブ部７１の移動が終了される側の位置ｘ２に対応するスライス面については、図２０（ａ）に示すように、アキシャル面のスライス画像ＩＡ２を生成する。
【０１３８】
そして、図２０に示すように、スライス画像生成部２３１２がスライス画像を生成したスライス面であるアキシャル面に対応するように、放射線画像生成部２３１１が放射線画像を生成する。
【０１３９】
たとえば、図１４に示すように、ダミープローブ部７１の移動が開始される側の位置ｘ０に対応するスライス面については、図２０（ｃ）に示すように、放射線画像ＩＲ０を生成する。また、図１４に示すように、ダミープローブ部７１の移動が開始される位置と終了される位置との間の中間位置である位置ｘ１に対応するスライス面については、図２０（ｂ）に示すように、放射線画像ＩＲ１を生成する。また、図１４に示すように、ダミープローブ部７１の移動が終了される側の位置ｘ２に対応するスライス面については、図２０（ａ）に示すように、放射線画像ＩＲ２を生成する。
【０１４０】
ここでは、図１４においてダミープローブ部７１の移動が開始される位置と終了される位置との間の中間位置は、被検体ＳＵにおいて放射線同位元素が集まった癌細胞の位置ｘ１に対応するために、ダミープローブ部７１の移動が開始される側の位置ｘ０や、ダミープローブ部７１の移動が終了される側の位置ｘ２に比べて、体腔プローブ部１１によって検出された放射線の強度が大きい。このため、図２０（ｂ）に示すように、被検体ＳＵにおいて放射線同位元素が集まった癌細胞の位置ｘ１に対応する放射線画像ＩＲ１については、ダミープローブ部７１の移動が開始される側の位置ｘ０の放射線画像ＩＲ０や、ダミープローブ部７１の移動が終了される側の位置ｘ２の放射線画像ＩＲ２よりも、色濃度が濃くなるように生成する。また、本実施形態では、体腔プローブ部１１の検出部１１１が第１から第４のシンチレータ１１１ａ＿１，１１１ａ＿２，１１１ａ＿３，１１１ａ＿４を含み、複数のチャネルが有るため、この体腔プローブ部１１において放射線を検出する第１から第４のシンチレータ１１１ａ＿１，１１１ａ＿２，１１１ａ＿３，１１１ａ＿４の幅に対応するように、各放射線画像ＩＲ０，ＩＲ１，ＩＲ２が生成されている。
【０１４１】
その後、図２０に示すように、放射線画像生成部２３１１によって生成された各放射線画像ＩＲ０，ＩＲ１，ＩＲ２と、スライス画像生成部２３１２によって生成された各スライス画像ＩＡ０，ＩＡ１，ＩＡ２とのそれぞれを、画像合成部２３１３が合成することによって、合成画像ＩＣ０，ＩＣ１，ＩＣ２のそれぞれを、実施形態１と同様にして生成する。
【０１４２】
以上のように、本実施形態においては、実施形態１と同様に、放射線画像ＩＲ０，ＩＲ１，ＩＲ２とスライス画像ＩＡ０，ＩＡ１，ＩＡ２との合成画像ＩＣ０，ＩＣ１，ＩＣ２を生成し、その合成画像ＩＣ０，ＩＣ１，ＩＣ２を用いて画像診断することができる。
【０１４３】
このため、診断部位に関する情報を正確に把握することが容易であって、診断効率を向上させることができる。
【０１４４】
なお、上記の実施形態の画像診断装置１は、本発明の画像診断装置に相当する。また、上記の実施形態の体腔プローブ部１１は、本発明の体腔プローブ部に相当する。また、上記の実施形態のダミープローブ部７１は、本発明の挿入部材に相当する。また、上記の実施形態のスキャン部２０２は、本発明のスキャン部に相当する。また、上記の実施形態の表示部２３３は、本発明の表示部に相当する。また、上記の実施形態のプローブ位置検出部２３５は、本発明の位置検出部に相当する。また、上記の実施形態の放射線画像生成部２３１１は、本発明の放射線画像生成部に相当する。また、上記の実施形態のスライス画像生成部２３１２は、本発明のスライス画像生成部に相当する。また、上記の実施形態の画像合成部２３１３は、本発明の画像合成部に相当する。
【０１４５】
また、本発明の実施に際しては、上記した実施形態に限定されるものではなく、種々の変形例を採用することができる。
【０１４６】
また、たとえば、上記の実施形態においては、体腔プローブを被検体ＳＵの食道に挿入する場合について説明したが、これに限定されない。
【０１４７】
また、たとえば、上記の実施形態においては、ＭＲマーカーを用いて体腔プローブの位置を検出する場合について説明したが、これに限定されない。たとえば、被検体ＳＵにおいて体腔プローブが挿入された距離を測定し、その測定結果に基づいて、体腔プローブの位置を検出しても良い。
【０１４８】
また、たとえば、上記の実施形態においては、磁気共鳴イメージング装置を用いてスライス画像を生成する場合について説明したが、これに限定されない。たとえば、Ｘ線ＣＴ装置や超音波診断装置を用いて、スライス画像を生成する場合においても適用可能である。
【０１４９】
また、たとえば、上記の実施形態においては、アキシャル面とサジタル面などの一つのスライス面について、スライス画像を生成する場合について説明したが、これに限定されない。たとえば、断層変換処理などを実施することによって、複数のスライス面についてのスライス画像を生成する場合についても適用可能である。
【図面の簡単な説明】
【０１５０】
【図１】図１は、本発明にかかる実施形態１において、画像診断装置１を示す図である。
【図２】図２は、本発明にかかる実施形態１において、ＲＩプローブ装置１０の構成を示す構成図である。
【図３】図３は、本発明にかかる実施形態１において、体腔プローブ部１１の検出部１１１についての断面図である。
【図４】図４は、本発明にかかる実施形態１において、ダミープローブ部７１を示す側面図である。
【図５】図５は、本発明にかかる実施形態１において、磁気共鳴イメージング装置２００の構成を示す構成図である。
【図６】図６は、本発明にかかる実施形態１において、画像生成部２３１を示すブロック図である。
【図７】図７は、本発明にかかる実施形態１において、画像診断装置１の動作を示すフロー図である。
【図８】図８は、本発明にかかる実施形態１において、ＲＩプローブ装置１０を用いて放射線検出データを得る際の動作を示すフロー図である。
【図９】図９は、本発明にかかる実施形態１において、体腔プローブ部１１を被検体ＳＵの内部に挿入する様子を示す側面図である。
【図１０】図１０は、本発明にかかる実施形態１において、被検体ＳＵの内部において放射線を検出する様子を示す側面図である。
【図１１】図１１は、本発明にかかる実施形態１において、放射線のカウント値Ｃと、検出部１１１の位置Ｘとの関係を示す図である。
【図１２】図１２は、本発明にかかる実施形態１において、磁気共鳴イメージング装置２００を用いて、被検体ＳＵについての磁気共鳴信号を得る際の動作を示すフロー図である。
【図１３】図１３は、本発明にかかる実施形態１において、ダミープローブ部７１のＭＲマーカー収容部１７２に収容されたＭＲマーカーから発生する磁気共鳴信号を、ＭＲＩ装置を用いて受信する様子を示す側面図である。
【図１４】図１４は、本発明にかかる実施形態１において、被検体ＳＵにおいて合成画像が生成される領域を示す側面図である。
【図１５】図１５は、本発明にかかる実施形態１において、画像合成部２３１３が合成する合成画像を示す図である。
【図１６】図１６は、本発明にかかる実施形態２において、被検体ＳＵのアキシャル面において合成画像が生成される領域を示す図である。
【図１７】図１７は、本発明にかかる実施形態２において、画像合成部２３１３が合成する合成画像を示す図である。
【図１８】図１８は、本発明にかかる実施形態２において、表示部２３３によって表示される合成画像ＩＣ０を示す図である。
【図１９】図１９は、本発明にかかる実施形態３において、体腔プローブ部１１の検出部１１１についての断面図である。
【図２０】図２０は、本発明にかかる実施形態３において、画像合成部２３１３が合成する合成画像を示す図である。
【符号の説明】
【０１５１】
１：画像診断装置（画像診断装置）、
１０：ＲＩプローブ装置、
１１：体腔プローブ部（体腔プローブ部）、
２１：回転移動部、
３１：計装部、
４１：制御部、
５１：表示部、
６１：操作部、
７１：ダミープローブ部（挿入部材）、
２００：磁気共鳴イメージング装置、
２０２：スキャン部（スキャン部）、
２０３：操作コンソール部、
２１２：静磁場マグネット部、
２１３：勾配コイル部、
２１４：ＲＦコイル部、
２２２：ＲＦ駆動部、
２２３：勾配駆動部、
２２４：データ収集部、
２２５：制御部、
２２６：クレードル、
２３０：制御部、
２３１：画像生成部、
２３２：操作部、
２３３：表示部（表示部）、
２３４：記憶部、
２３５：プローブ位置検出部（位置検出部）、
２３１１：放射線画像生成部（放射線画像生成部）、
２３１２：スライス画像生成部（スライス画像生成部）、
２３１３：画像合成部（画像合成部）、
Ｂ：撮像空間
【図１】
2007130305.tif 000003
【図２】
2007130305.tif 000004
【図３】
2007130305.tif 000005
【図４】
2007130305.tif 000006
【図５】
2007130305.tif 000007
【図６】
2007130305.tif 000008
【図７】
2007130305.tif 000009
【図８】
2007130305.tif 000010
【図９】
2007130305.tif 000011
【図１０】
2007130305.tif 000012
【図１１】
2007130305.tif 000013
【図１２】
2007130305.tif 000014
【図１３】
2007130305.tif 000015
【図１４】
2007130305.tif 000016
【図１７】
2007130305.tif 000017
【図１８】
2007130305.tif 000018
【図１９】
2007130305.tif 000019
【図１５】
2007130305.tif 000020
【図１６】
2007130305.tif 000021
【図２０】
2007130305.tif 000022